(57)【要約】第１のアンテナ（１３８）に接続された連続受信モード受信機を有する第１の送受信機と、第２のアンテナ（１４０）に接続された第２の送信機を有する第２の送受信機と、を含むマルチモード無線通信装置（１００）およびその方法。１つの動作モードにおいて、連続受信モード受信機は、他の受信機が信号を受信するのと同時に、非圧縮ダウンリンク信号を受信する。他の動作モードにおいて、連続受信モード受信機は、第２の送受信機の送信機が信号を送信するのと同時に、非圧縮ダウンリンク信号を受信する。他の動作モードにおいて、第１の送受信機の連続受信モード送信機は、他の受信機が信号を受信するのと同時に、アップリンク信号を送信する。
2005514829.tif 000002
【特許請求の範囲】
【請求項１】
マルチモード無線通信ハンドセットであって、
連続受信モード受信機である第１の受信機を有する第１の送受信機と、
前記第１の受信機に接続された第１のアンテナと、
第２の受信機を有する第２の送受信機と、
前記第２の受信機に接続された第２のアンテナと、
を有し、
連続受信モードで前記第１の受信機を動作させ、前記第１の受信機が前記連続受信モードで動作している間に、受信モードで前記第２の受信機を同時に動作させる、マルチモード無線通信ハンドセット。
【請求項２】
前記第１の送受信機は、対応する第１の送信機を有し、前記第２の送受信機は、対応する第２の送信機を有し、前記第１および第２の送信機は、前記第１および第２のアンテナの１つに接続可能である、請求項１記載のマルチモード無線通信ハンドセット。
【請求項３】
前記第１および第２の送信機は、前記第２のアンテナに接続されている、請求項２記載のマルチモード無線通信ハンドセット。
【請求項４】
前記第１の受信機はＣＤＭＡ受信機であり、前記第１の送受信機はＣＤＭＡ送信機を有する、請求項１記載のマルチモード無線通信装置。
【請求項５】
前記第１のアンテナは内部アンテナであり、前記第１の送信機は前記第２のアンテナに接続され、前記第２のアンテナは外部アンテナである、請求項２記載のマルチモード無線通信ハンドセット。
【請求項６】
前記第２の受信機はＴＤＭＡ受信機であり、前記第２の送受信機はＴＤＭＡ送信機を有し、スイッチが前記第１および第２の送信機ならびに前記第２の受信機を、前記第２のアンテナに接続する、請求項４記載のマルチモード無線通信ハンドセット。
【請求項７】
プロセッサが、前記第１と第２の送受信機に接続され、表示装置および入出力が、前記プロセッサに接続され、ビデオ装置が、前記プロセッサに接続されている、請求項１記載のマルチモード装置。
【請求項８】
マルチモード無線通信ハンドセットであって、
連続受信モード受信機である第１の受信機を有する第１の送受信機と、
前記第１の受信機に接続された第１のアンテナと、
第２の送信機を有する第２の送受信機と、
前記第２の送信機に接続された第２のアンテナと、
を有し、
連続受信モードで前記第１の受信機を動作させ、前記第１の受信機が前記連続受信モードで動作している間に、送信モードで前記第２の送信機を同時に動作させる、マルチモード無線通信ハンドセット。
【請求項９】
前記第１の受信機は、連続モードで動作するＣＤＭＡ受信機であり、前記第２の送信機は、前記ＣＤＭＡ受信機が連続モードで動作している間に信号を送信するＴＤＭＡ送信機である、請求項８記載のマルチモード無線通信ハンドセット。
【請求項１０】
第１の送受信機と第２の送受信機を有するマルチモード無線通信装置における方法であって、
連続受信モードで動作する前記第１の送受信機の第１の受信機で第１の信号を受信し、
前記第１の受信機は、第１のアンテナに接続され、
前記第１の受信機が前記第１の信号を受信すると同時に、前記第２の送受信機の第２の受信機で第２の信号を受信し、
前記第２の受信機は、前記第１のアンテナと異なる第２のアンテナに接続されている、方法。
【請求項１１】
非圧縮ダウンリンクの第１の信号を前記第１の受信機で受信し、
前記第１の受信機が前記非圧縮ダウンリンクの第１の信号を受信すると同時に、不連続の受信モードで動作する前記第２の受信機で前記第２の信号を受信する、
請求項１０記載の方法。
【請求項１２】
前記第１の受信機はＣＤＭＡ受信機であり、前記第２の受信機はＧＳＭ受信機であり、
前記ＣＤＭＡ受信機で非圧縮ダウンリンク信号を受信し、
前記ＣＤＭＡ受信機が前記非圧縮ダウンリンクの第１の信号を受信すると同時に、前記ＧＳＭ受信機でダウンリンク信号を受信する、
請求項１０記載の方法。
【請求項１３】
前記第１の受信機はＣＤＭＡ受信機であり、前記第２の受信機はＴＤＭＡ受信機であり、
前記ＣＤＭＡ受信機で非圧縮ダウンリンク信号を受信し、
前記ＣＤＭＡ受信機が前記非圧縮ダウンリンクの第１の信号を受信すると同時に、前記ＴＤＭＡ受信機でダウンリンク信号を受信する、
請求項１０記載の方法。
【請求項１４】
前記第１の受信機で第１の非圧縮ダウンリンク信号を受信し、
前記第１の受信機が前記非圧縮ダウンリンクの第１の信号を受信すると同時に、連続受信モードで動作する前記第２受信機で第２の非圧縮ダウンリンク信号を受信する、
請求項１０記載の方法。
【請求項１５】
前記第１の送受信機は第１の送信機を有し、前記第２の送受信機は第２の送信機を有し、前記第１の送信機と前記第２の送信機を前記第１および第２アンテナの１つに接続する、請求項１０記載の方法。
【請求項１６】
第１の送受信機と第２の送受信機を有するマルチモード無線通信装置における方法であって、
連続受信モードで動作する前記第１の送受信機の第１の受信機で第１の信号を受信し、
前記第１の受信機は、第１のアンテナに接続され、
前記第１の受信機が前記第１の信号を受信すると同時に、前記第２の送受信機の第２の送信機で第２の信号を送信し、
前記第２の送信機は、前記第１のアンテナと異なる第２のアンテナに接続されている、方法。
【請求項１７】
前記第１の受信機で非圧縮ダウンリンク信号を受信し、前記第１の受信機が前記第１の非圧縮ダウンリンクの信号を受信すると同時に、前記第２の送信機で前記第２の信号を送信する、請求項１６記載の方法。
【請求項１８】
前記第１の受信機はＣＤＭＡ受信機であり、前記第２の送信機はＴＤＭＡ送信機であり、
前記ＣＤＭＡ受信機で前記非圧縮ダウンリンク信号を受信し、
前記ＣＤＭＡ受信機が前記非圧縮ダウンリンク信号を受信すると同時に、前記ＴＤＭＡ送信機で前記第２の信号を送信する、
請求項１７記載の方法。
【請求項１９】
前記ＴＤＭＡ送信機はマルチバンドＴＤＭＡ送信機であり、前記ＣＤＭＡ受信機が前記非圧縮ダウンリンク信号を受信すると同時に、前記ＴＤＭＡ送信機の任意の帯域において信号を送信する、請求項１８記載の方法。
【請求項２０】
第１の送受信機と第２の送受信機を有するマルチモード無線通信装置における方法であって、
連続送信モードで動作する前記第１の送受信機の第１の送信機で第１の信号を送信し、
前記第１の送信機は、第１のアンテナに接続され、
前記第１の送信機が前記第１の信号を送信すると同時に、前記第２の送受信機の第２の受信機で第２の信号を受信し、
前記第２の受信機は、前記第１のアンテナと異なる第２のアンテナに接続されている、方法。
【請求項２１】
前記第１の送信機はＣＤＭＡ送信機であり、前記第２の受信機はＴＤＭＡ受信機であり、
前記ＣＤＭＡ送信機でアップリンク信号を送信し、
前記ＣＤＭＡ送信機が前記アップリンク信号を送信すると同時に、前記ＴＤＭＡ受信機で前記第２の信号を受信する、
請求項２０記載の方法。
【請求項２２】
連続送信モードで動作する第１の送信機で非圧縮アップリンク信号を送信し、
前記第１の送信機が前記非圧縮アップリンクの第１の信号を送信すると同時に、前記第２の受信機で前記第２の信号を受信する、
請求項２０記載の方法。
【請求項２３】
前記第１の送信機はＣＤＭＡ送信機であり、前記第２の受信機はＴＤＭＡ受信機であり、
前記ＣＤＭＡ送信機で圧縮アップリンク信号を送信し、
前記ＣＤＭＡ送信機が前記圧縮アップリンク信号を送信すると同時に、前記ＴＤＭＡ受信機で前記第２の信号を受信する、
請求項２０記載の方法。
【発明の詳細な説明】
【技術分野】
【０００１】
本発明は、一般に、マルチモード移動体無線通信に関し、より詳細には、他のモードと同時に動作する少なくとも１つの連続受信モードを有するマルチモード通信装置およびその方法に関する。
【背景技術】
【０００２】
近年、第３世代およびより高い世代の移動体無線通信システムの出現により、例えば共通の地理的領域をサービスするＧＳＭとＷ−ＣＤＭＡ通信システムのような、複数の通信システムにアクセス可能な移動通信ハンドセットが必要とされるようになってきた。
【０００３】
複数の通信システムのサービスを十分に享受するには、マルチモード無線移動体通信装置が２つ以上の通信システム上で同時に動作し、性能の著しい低下を生じないで、その間を効率的に移行する必要がある。
【０００４】
マルチモードおよびマルチバンドの無線通信ハンドセットは、既に知られているが、しかし、これらの既知の装置は、現在２つ以上の通信システムに同時にアクセスすることができない。例えば時分割多重アクセス（ＴＤＭＡ）システムのような、十分な周波数分離を有する同質の通信システムでは、マルチバンド通信ハンドセットが、他の周波数帯域のハンドオフ候補を効率的に評価することができる。しかし、ＣＤＭＡ通信が持っている本来の連続的に受信しかつ送信するという性質は、例えばハンドオフ候補を評価するといった、マルチモード動作に必要な他の通信システムを監視する時間的余地を残していない。
【０００５】
連続的に受信および送信する通信システムにおいて、ダウンリンクおよびアップリンク情報の送信を圧縮して、他の通信システムを監視する時間を作り出すことが知られている。圧縮中、データレートの低下を避けるために、多くのデータがより短い時間間隔で送信される。しかし、この送信の圧縮は、さらに大きな出力を必要とし、システム容量の負担を増加させる結果になる。
【０００６】
本発明の種々の態様、特徴、および利点は、下記に示す添付の図面を用いた次の発明を実施するための最良の形態を考慮することによって、当業者に対してより完全に明らかにされるであろう。
【発明を実施するための最良の形態】
【０００７】
図１は、例えば、移動体通信ハンドセット、双方向ポケットベル、無線通信可能な携帯情報端末、または無線通信可能なポータブルまたはラップトップコンピュータのような、典型的なマルチモード無線通信装置１００である。
【０００８】
装置１００は、通常、表示装置１１４、ユーザ入力装置１１６、例えばキーボード、キーパッド、および他の入出力装置、例えばマイクロホン１１８を持つプロセッサ１１２を有し、いくつかの実施形態では、ビデオ入力装置１２０、スピーカー１２２、および／またはスピーカー出力ポート、およびいくつかの実施形態では入出力データポート１２４を有している。
【０００９】
通信装置１００は、少なくとも２つの送受信機も有し、その各々は対応する受信機および送信機を有し、その装置の受信機の少なくとも１つは、連続受信モード受信機である。連続受信モード受信機は、例えばＣＤＭＡ受信機、Ｗ−ＣＤＭＡ受信機、ＣＤＭＡ２００
０受信機、ＡＭＰＳ受信機、または他のいくつかのスペクトル拡散受信機である。
【００１０】
図１の典型的な実施形態において、通信装置１００は、複数の受信機入力Ｒ１、Ｒ２、Ｒ３、．．．、ＲＮを有する第１の受信機１３０と、複数の受信機入力ＡＲ１、ＡＲ２、ＡＲ３、．．．、ＡＲＮを有する第２の受信機１３２とを有する。通信装置１００は、複数の出力Ｔ１、Ｔ２、．．．、ＴＮを有する第１の送信機１３４と、複数の送信機出力ＡＴ１、ＡＴ２、．．．、ＡＴＮを有する第２の送信機１３６も有している。少なくとも２つの受信機は、各々が対応する送信機を有するが、いくつかの実施形態においては、相手方送信機または受信機を持たない、例えば全地球位置発見システム（ＧＰＳ）受信機または緊急位置決定送信機のような、受信機および／または送信機であってもよい。
【００１１】
受信機１３０、１３２の受信機入力および送信機１３４、１３６の送信機出力は、プロセッサ１１２によって制御される例えばインタフェース装置１４２によって、第１のアンテナ１３８または第２のアンテナ１４０のいずれかに接続される。
【００１２】
１つの実施形態において、連続受信モード受信機は、１つのアンテナに接続され、連続受信モード受信機であってもなくてもよい他の受信機は、異なる別のアンテナに接続される。１つの動作モードにおいて、連続受信モード受信機は、他の受信機が信号を受信するのと同時に信号を受信することができる。１つの実施形態において、他の受信機は、連続受信モード受信機、例えばＣＤＭＡ受信機であり、あるいは他の受信機は、他のある種類の受信機、例えばＴＤＭＡ受信機であってもよい。
【００１３】
図２は、Ｗ−ＣＤＭＡおよびマルチバンドＧＳＭモードで動作するマルチモードおよびマルチバンドの通信装置の典型的なインタフェース回路を示している。連続受信モードＷＣＤＭＡ受信機入力ＷＣＤＭＡ−ＲＸは、フィルタを含む単向通信器２１２によって第１のアンテナ２１０に接続される。典型的な実施形態において、第１のアンテナ２１０は、完全に無線通信ハンドセット本体２２２内に配置された内部アンテナである。しかし、他の実施形態において、第１のアンテナは、外部アンテナであってもよい。
【００１４】
第１のアンテナが内部アンテナである典型的な実施形態において、ＷＣＤＭＡ送信機出力ＷＣＤＭＡ−ＴＸは、対応する単向通信器２１６によって、外部アンテナである第２のアンテナ２１４に接続される。しかし、他の実施形態において、ＷＣＤＭＡ送信機ＷＣＤＭＡ−ＴＸも、ＷＣＤＭＡ受信機ＷＣＤＭＡ−ＲＸと共に第１のアンテナ２１０に接続されてもよく、第１のアンテナ２１０は、外部アンテナであってもよい。
【００１５】
図２の典型的な実施形態において、少なくともＧＳＭ受信機は、第２のアンテナ２１４に接続される。通常、ＧＳＭ送信機は、第１または第２アンテナのいずれか１つに接続することができる。図２において、ＧＳＭ送受信機は、マルチバンドで受信機で送信するようスイッチによって第２のアンテナに接続されたマルチバンド装置である。特に、図２において、ＧＳＭ−ＲＸバンド入力は、位置ＲＸ１に設定された第１のスイッチＳ１によって、第２のアンテナ２１４にＷＣＤＭＡ送信機出力ＷＣＤＭＡ−ＴＸと共に接続される。ＧＳＭマルチバンド受信機入力ＤＣＳ−ＲＸとＰＣＳ−ＲＸは、位置ＲＸ２に設定された第１のスイッチＳ１と、位置Ｊ２とＪ３の間で切り替え可能な、直列接続された第２のスイッチＳ２とによって、第２のアンテナ２１４に交互に接続可能である。ＧＳＭマルチバンド送信機出力ローバンドとハイバンド、およびそれに対応する第１と第２の低域通過フィルタ２１８と２２０は、位置ＴＸ１とＴＸ２の間でそれぞれ切り替え可能な第１のスイッチＳ１によって、それぞれ第２のアンテナ２１４に交互に接続可能である。本発明は、図２に示すように、第１および第２の送受信機に限定されることなく、多くの送受信機を含んでいてもよい。
【００１６】
１つの動作モードにおいて、第１の信号は、連続受信モードで動作する第１の送受信機の第１の受信機で受信され、第２の信号は、第１の受信機が第１の信号を受信すると同時に、第２の送受信機の第２の受信機で受信される。
【００１７】
関連する受信動作モードにおいて、第１の信号は、連続受信モードで動作する第１の受信機によって受信される非圧縮ダウンリンク信号であり、第２の信号は、第１の受信機が非圧縮ダウンリンク信号を受信すると同時に、不連続の受信モードで動作する第２の受信機で受信される。１つの応用例において、マルチモード通信装置は、例えばＷＣＤＭＡおよびＧＳＭシステムのようなＣＤＭＡおよびＴＤＭＡ通信システムで動作し、ＣＤＭＡ受信機は、非圧縮ダウンリンク信号を受信し、ＴＤＭＡ受信機は、第２の信号を同時に受信する。
【００１８】
他の関連する受信／受信動作モードにおいて、第１および第２受信機はともに、連続モード受信機、例えばＣＤＭＡ受信機であり、第１の受信機は、第１の非圧縮ダウンリンク信号を受信し、第２の受信機は、第２の非圧縮ダウンリンク信号を同時に受信する。
【００１９】
他の動作モードにおいて、第１の信号は、連続受信モードで動作する第１の受信機で受信され、第２の信号は、第１の受信機が第１の信号を受信すると同時に、第２の送信機で送信される。
【００２０】
関連する受信／送信動作モードにおいて、第１の信号は、連続受信モードで動作する第１の受信機によって受信された非圧縮ダウンリンク信号であり、第２の信号は、第１の受信機が非圧縮ダウンリンク信号を受信すると同時に、不連続の受信モードで動作する第２の送信機で送信される。１つの応用例において、マルチモード通信装置は、例えばＷＣＤＭＡおよびＧＳＭシステムのようなＣＤＭＡおよびＴＤＭＡ通信システムにおいて動作し、ＣＤＭＡ受信機は、非圧縮ダウンリンクを受信し、ＴＤＭＡ送信機は、第２の信号を同時に送信する。いくつかの実施形態において、ＴＤＭＡ送受信機は、ＣＤＭＡ受信機が非圧縮ダウンリンク信号を受信するのと同時に、あらゆるバンドで送信可能なマルチバンド送受信機である。
【００２１】
他の動作モードにおいて、第１の信号は、連続送信モードで動作する第１の送受信機の第１の送信機で送信され、第２の信号は、第１の送信機が第１の信号を送信すると同時に、第２の送受信機の第２の受信機で受信される。
【００２２】
関連する送信／受信動作モードにおいて、圧縮アップリンク信号は、連続送信モードで動作する第１の送信機で送信され、第２の信号は、第１の送信機が非圧縮アップリンクの第１の信号を送信するのと同時に、第２の受信機で受信される。１つの応用例において、第１の送信機および第２の受信機は、それぞれ、例えばＰＣＳおよびＤＣＳバンドで受信し、ハイバンドおよびローバンドで送信可能なマルチモードＧＳＭ送受信機のような、ＣＤＭＡ送信機およびＴＤＭＡ受信機である。
【００２３】
本発明、および現在その最良の態様と考えられるものを、発明者によってその所有を確立し、かつ通常の当業者が本発明を構成し使用できる方法で説明したが、本願明細書に開示された典型的な実施形態に対する多くの等価物があり、典型的な実施形態ではなく添付の請求項によって限定される無数の修正および変形が、本発明の範囲および精神から逸脱することなく、上記の実施形態に対してなされてもよいことが理解され認識されるだろう。
【図面の簡単な説明】
【００２４】
【図１】本発明の典型的な実施形態による無線移動体通信装置である。
【図２】典型的な送受信機の入出力インタフェースである。
【図１】
2005514829.tif 000003
【図２】
2005514829.tif 000004
【手続補正書】
【提出日】平成15年8月1日(2003.8.1)
【手続補正１】
【補正対象書類名】特許請求の範囲
【補正対象項目名】全文
【補正方法】変更
【補正の内容】
【特許請求の範囲】
【請求項１】
無線通信装置であって、
第１の受信機および第１の送信機を有する第１の送受信機と、
前記第１の受信機に接続された第１のアンテナと、
第２の受信機および第２の送信機を有する第２の送受信機と、
前記第２の受信機に接続された第２のアンテナと、
を有し、
前記第１および第２の送信機は、前記第１および第２アンテナのいずれかのうちの同じアンテナに接続可能である、
無線通信装置。
【請求項２】
前記第１および第２の送信機は、前記第１と第２のアンテナのうちの同じアンテナから分離可能である、請求項１記載の無線通信装置。
【請求項３】
前記第１の受信機はＣＤＭＡ受信機であり、前記第１の送信機はＣＤＭＡ送信機であり、前記第２の受信機はＴＤＭＡ受信機であり、前記第２の送信機はＴＤＭＡ送信機である、請求項１記載の無線通信装置。
【請求項４】
前記第１のアンテナは内部アンテナであり、前記第１の送信機は前記第２のアンテナに接続され、前記第２のアンテナは外部アンテナである、請求項１記載の無線通信装置。
【請求項５】
スイッチが前記第１および第２の送信機ならびに前記第２の受信機を、前記第１および第２のアンテナのうちの同じアンテナに接続する、請求項１記載の無線通信装置。
【請求項６】
プロセッサが、前記第１と第２送受信機に接続され、表示装置および入出力が、前記プロセッサに接続されている、請求項１記載の無線通信装置。
【請求項７】
第１の送受信機と第２の送受信機を有する無線通信装置における方法であって、
前記第１の送受信機の第１の受信機で非圧縮ＣＤＭＡ信号を受信し、
前記第１の受信機が前記非圧縮ＣＤＭＡ信号を受信すると同時に、前記第２の送受信機の第２の受信機で第２の信号を受信する、
方法。
【請求項８】
前記第１の受信機が前記非圧縮ＣＤＭＡ信号を受信すると同時に、不連続の受信モードで動作する前記第２の受信機で前記第２の信号を受信する、請求項７記載の方法。
【請求項９】
前記第１の受信機はＣＤＭＡ受信機であり、前記第２の受信機はＧＳＭ受信機であり、
前記ＣＤＭＡ受信機が前記非圧縮ＣＤＭＡ信号を受信すると同時に、前記ＧＳＭ受信機でダウンリンク信号を受信する、
請求項７記載の方法。
【請求項１０】
前記第１の受信機はＣＤＭＡ受信機であり、前記第２の受信機はＴＤＭＡ受信機であり、
前記ＣＤＭＡ受信機が前記非圧縮ＣＤＭＡ信号を受信すると同時に、前記ＴＤＭＡ受信機でダウンリンク信号を受信する、
請求項７記載の方法。
【請求項１１】
前記第１の受信機が前記非圧縮ＣＤＭＡ信号を受信すると同時に、連続受信モードで動作する前記第２受信機で第２の非圧縮ダウンリンク信号を受信する、
請求項７記載の方法。
【請求項１２】
前記第１の受信機は、第１のアンテナに接続され、
前記第２の受信機は、前記第１のアンテナと異なる第２のアンテナに接続され、
前記第１の送受信機は第１の送信機を有し、前記第２の送受信機は第２の送信機を有し、
前記第１の送信機と前記第２の送信機を前記第１と第２アンテナのうちの同じアンテナに接続する、
請求項７記載の方法。
【請求項１３】
第１の送受信機を有する無線通信装置における方法であって、
前記第１の送受信機の第１の受信機で第１の信号を受信し、
前記第１の受信機は、第１のアンテナに接続され、
前記第１の受信機が前記第１の信号を受信すると同時に、前記第１の送受信機の第１の送信機で第２の信号を送信し、
前記第１の送信機は、前記第１のアンテナと異なる第２のアンテナに接続されている、方法。
【請求項１４】
前記第１の受信機で前記第１の信号を受信することは、非圧縮ＣＤＭＡダウンリンク信号を受信することを含む、請求項１３記載の方法。
【請求項１５】
第１の送受信機と第２の送受信機を有する無線通信装置における方法であって、
連続送信モードで動作する前記第１の送受信機の第１の送信機で第１の信号を送信し、
前記第１の送信機は、第１のアンテナに接続され、
前記第１の送信機が前記第１の信号を送信すると同時に、前記第２の送受信機の第２の受信機で第２の信号を受信し、
前記第２の受信機は、前記第１のアンテナと異なる第２のアンテナに接続されている、方法。
【請求項１６】
前記第１の送信機はＣＤＭＡ送信機であり、前記第２の受信機はＴＤＭＡ受信機であり
、
前記ＣＤＭＡ送信機でアップリンク信号を送信し、
前記ＣＤＭＡ送信機が前記アップリンク信号を送信すると同時に、前記ＴＤＭＡ受信機で前記第２の信号を受信する、
請求項１５に記載の方法。
【請求項１７】
連続送信モードで動作する第１の送信機で非圧縮アップリンク信号を送信し、
前記第１の送信機が前記非圧縮アップリンクの第１の信号を送信すると同時に、前記第２の受信機で前記第２の信号を受信する、
請求項１５に記載の方法。
【請求項１８】
前記第１の送信機はＣＤＭＡ送信機であり、前記第２の受信機はＴＤＭＡ受信機であり、
前記ＣＤＭＡ送信機で前記非圧縮アップリンク信号を送信し、
前記ＣＤＭＡ送信機が前記非圧縮アップリンク信号を送信すると同時に、前記ＴＤＭＡ受信機で前記第２の信号を受信する、
請求項２０記載の方法。
（新規）
【請求項１９】
第１の送受信機と第２の送受信機を有する無線通信装置における方法であって、
前記第１の送受信機の第１の送信機で送信し、
前記第１の送信機が送信すると同時に、前記第２の送受信機の第２の送信機で送信し、
前記第１および第２の送信機が送信すると同時に、前記第１の送受信機の第１の受信機および前記第２の送受信機の第２の受信機のうちの１つで受信する、
方法。
（新規）
【請求項２０】
前記受信することは、非圧縮連続信号を受信することを含む、請求項１９記載の方法。
【請求項２１】
第１の送受信機と第２の送受信機を有する無線通信装置における方法であって、
前記第１の送受信機の第１の受信機で受信し、
前記第１の受信機が受信すると同時に、前記第２の送受信機の第２の受信機で受信し、
前記第１および第２の受信機が受信すると同時に、前記第１の送受信機の第１の送信機および前記第２の送受信機の第２の送信機のうちの１つで送信する、
方法。
【請求項２２】
前記受信することは、非圧縮連続信号を受信することを含む、請求項２１記載の方法。
【国際調査報告】
2005514829.tif 000005
2005514829.tif 000006
2005514829.tif 000007